(57)【要約】【課題】ハーネスガイド部材からのワイヤハーネスの外れを防止する。【解決手段】ワイヤハーネス１４を折り返した状態に収容するプロテクタ４と、ワイヤハーネスの折り返し部１４ａ内に配置され、ハーネス長手方向に移動自在なハーネスガイド部材７と、ハーネスガイド部材をプロテクタ内へのハーネス引き込み方向に付勢する付勢部材５とを備えるハーネス余長吸収装置１で、ハーネスガイド部材７のハーネスガイド面２５の両側に鍔部２６を立設し、鍔部に、ワイヤハーネスを保持するための爪部２７を設けた。爪部２７をハーネスガイド面２５の頂部よりも側部側に偏心して配置した。爪部２７を、ハーネスガイド面２５の径方向両側に各一対配置した。あるいは、爪部２７をハーネスガイド面２５の径方向の一方に一対配置し、ハーネスガイド面の径方向の他方には、鍔部２６を傾斜状に切欠して成る傾斜リブ２８を設けた。【選択図】図１
2005176502.tif 000002
【特許請求の範囲】
【請求項１】
ワイヤハーネスを折り返した状態に収容するプロテクタと、該ワイヤハーネスの折り返し部内に配置され、ハーネス長手方向に移動自在なハーネスガイド部材と、該ハーネスガイド部材を該プロテクタ内へのハーネス引き込み方向に付勢する付勢部材とを備え、該ハーネスガイド部材のハーネスガイド面の両側に鍔部が立設され、該鍔部に、該ワイヤハーネスを保持するための爪部が設けられたことを特徴とするハーネス余長吸収装置。
【請求項２】
前記爪部が、前記ハーネスガイド面の頂部よりも側部側に偏心して配置されたことを特徴とする請求項１記載のハーネス余長吸収装置。
【請求項３】
前記爪部が、前記ハーネスガイド面の径方向両側に各一対配置されたことを特徴とする請求項２記載のハーネス余長吸収装置。
【請求項４】
前記爪部が前記ハーネスガイド面の径方向の一方に一対配置され、該ハーネスガイド面の径方向の他方には、前記鍔部を傾斜状に切欠して成る傾斜リブが設けられたことを特徴とする請求項１又は２記載のハーネス余長吸収装置。
【請求項５】
前記傾斜リブが前記ハーネスガイド面に対して接線方向に交差して続いたことを特徴とする請求項４記載のハーネス余長吸収装置。
【発明の詳細な説明】
【技術分野】
【０００１】
本発明は、プロテクタ内でワイヤハーネスを折り返しつつ引き込み方向に付勢させるハーネスガイド部材を備えたハーネス余長吸収装置に関するものである。
【背景技術】
【０００２】
図７は従来のハーネス余長吸収装置の一形態を示すものである（特許文献１参照）。
【０００３】
このハーネス余長吸収装置４１は、合成樹脂製のケース４２と、ケース４２内の一方に設けられた円柱状の固定ガイド４３と、ケース内の他方にスライド自在に設けられた円柱状の可動ガイド４４と、可動ガイド４４を固定ガイド４３とは反対の方向に付勢するコイルばね４５とを備えたものである。
【０００４】
ケース４２内でフラットワイヤハーネス４６が可動ガイド４４と固定ガイド４３とに沿って略Ｓ字状に屈曲され、ワイヤハーネス４６の一方がケース４２の一方のコネクタ４７に続き、ワイヤハーネス４６の他方がケース４２の他方のハーネス導出口４８から外部に導出されている。
【０００５】
コネクタ４７には電源側のワイヤハーネス４９が接続され、ワイヤハーネス４６の他方は例えばドア等の開閉体（図示せず）の電装品や補機にコネクタ接続される。開閉体の開き操作に伴ってワイヤハーネス４６がコイルばね４５を圧縮させつつケース４２から引き出され、開閉体の閉じ操作時にワイヤハーネス４６が弛もうとするが、コイルばね４５が伸び方向に可動ガイド４４を付勢移動させることで、ワイヤハーネス４６がケース４２内に引き込まれて弛み（余長）が吸収される。
【特許文献１】特開平９−２０１８９号公報（第４〜５頁，図９）
【発明の開示】
【発明が解決しようとする課題】
【０００６】
しかしながら、上記従来のハーネス余長吸収装置４１にあっては、ワイヤハーネス４６の引き出し及び引き込み時にワイヤハーネス４６が可動ガイド（ガイド部材）４４からガイド長手方向に外れやすく、その場合にはワイヤハーネス４６の側端部がケース４２や可動ガイド４４の端部エッジと接触して擦れて、摩耗や傷付きを起こすという懸念があった。また、ワイヤハーネス４６をケース内に組み付ける際に、ワイヤハーネス４６が可動ガイド４４からガイド長手方向に外れたり、ガイド径方向に浮き上がったりして、組付作業を行い難いという懸念もあった。
【０００７】
本発明は、上記した点に鑑み、ワイヤハーネスの引き出し時や引き込み時におけるガイド部材からのワイヤハーネスの外れをなくして、ワイヤハーネスの摩耗や傷付き等を防止すると共に、ワイヤハーネスの組付時におけるガイド部材からのワイヤハーネスの外れや浮き上がりをなくしてワイヤハーネスの組付性を向上させることのできるハーネス余長吸収装置を提供することを目的とする。
【課題を解決するための手段】
【０００８】
上記目的を達成するために、本発明の請求項１に係るハーネス余長吸収装置は、ワイヤハーネスを折り返した状態に収容するプロテクタと、該ワイヤハーネスの折り返し部内に配置され、ハーネス長手方向に移動自在なハーネスガイド部材と、該ハーネスガイド部材を該プロテクタ内へのハーネス引き込み方向に付勢する付勢部材とを備え、該ハーネスガイド部材のハーネスガイド面の両側に鍔部が立設され、該鍔部に、該ワイヤハーネスを保持するための爪部が設けられたことを特徴とする。
【０００９】
上記構成により、ワイヤハーネスがハーネスガイド部材のハーネスガイド面に沿って折り返され、ワイヤハーネスの両側部がハーネスガイド部材の鍔部に沿って位置決めされ、ハーネスガイド面両側へのワイヤハーネスの位置ずれが防止され、且つ爪部によって鍔部からのワイヤハーネスの外れ出しが防止される。ワイヤハーネスは両側の爪部でハーネスガイド面径方向の浮き上がりが阻止される。
【００１０】
また、ワイヤハーネスを爪部で保持した状態（爪部に引っ掛けた状態）でハーネスガイド部材と付勢部材とを一体的にプロテクタ内に組み込むことにより、組立作業性が向上する。
【００１１】
付勢部材はハーネスガイド部材を付勢してプロテクタ内でハーネス引き込み方向に移動させ、それによってワイヤハーネスの弛み（余長）が吸収される。プロテクタからのワイヤハーネスの引き出しはドアやトランクといった開閉体を開く又は閉じることで従動的に行われる。
【００１２】
請求項２係るハーネス余長吸収装置は、請求項１記載のハーネス余長吸収装置において、前記爪部が、前記ハーネスガイド面の頂部よりも側部側に偏心して配置されたことを特徴とする。
【００１３】
上記構成により、爪部がハーネスガイド面の頂部側ではなく側部側である鍔部のコーナーに設けられることで、ハーネスガイド面の頂部から爪部までの距離が短く抑えられ、ハーネスガイド部材がハーネス長手方向及び厚み方向にコンパクト化される。
【００１４】
請求項３に係るハーネス余長吸収装置は、請求項２記載のハーネス余長吸収装置において、前記爪部が、前記ハーネスガイド面の径方向両側に各一対配置されたことを特徴とする。
【００１５】
上記構成により、各一対計二対の爪部でワイヤハーネスが確実に保持され、外れ防止性が高まる。
【００１６】
請求項４に係るハーネス余長吸収装置は、請求項１又は２記載のハーネス余長吸収装置において、前記爪部が前記ハーネスガイド面の径方向の一方に一対配置され、該ハーネスガイド面の径方向の他方には、前記鍔部を傾斜状に切欠して成る傾斜リブが設けられたことを特徴とする。
【００１７】
上記構成により、一方の一対の爪部でハーネスガイド部材の鍔部外側へのワイヤハーネスの外れが防止され、ワイヤハーネスが他方（爪部のない側）において外れた際に、他方の一対の傾斜リブでハーネスガイド面へのワイヤハーネスの復帰（誘導）がスムーズに行われる。すなわち、ワイヤハーネスが引っ張られた際に傾斜リブの傾斜に沿って内側のハーネスガイド面に戻される。傾斜リブがない場合（一方に爪部が設けられ、他方に高い鍔部が位置する場合）は、外れたワイヤハーネスが鍔部に乗り上げて、ワイヤハーネスやその外周の保護材が引っ掛かり、復元性が悪化しやすい。
【００１８】
請求項５に係るハーネス余長吸収装置は、請求項４記載のハーネス余長吸収装置において、前記傾斜リブが前記ハーネスガイド面に対して接線方向に交差して続いたことを特徴とする。
【００１９】
上記構成により、外れたワイヤハーネスが傾斜リブに沿って接線方向にハーネスガイド面に誘導されて、ワイヤハーネスの復元性が高まる。
【発明の効果】
【００２０】
請求項１記載の発明によれば、両側の爪部によってワイヤハーネスが安定に保持されるから、ハーネスガイド部材からのワイヤハーネスの外れが防止され、ハーネス外れによるワイヤハーネスの引っ掛かりや摺動摩耗や傷付き等が防止され、給電の信頼性が向上する。また、ワイヤハーネスを爪部で保持した状態でハーネスガイド部材や付勢部材と共に一体的にプロテクタ内に組み込むことができるから、組立作業性が向上する。
【００２１】
請求項２記載の発明によれば、ハーネスガイド面の頂部から爪部までの距離が短く抑えられ、ハーネスガイド部材がハーネス長手方向にコンパクト化されるから、ハーネス弛み吸収装置自体が長手方向にコンパクト化され、車両等の幅狭なスペースに確実に搭載可能となる。
【００２２】
請求項３記載の発明によれば、各一対計二対の爪部でワイヤハーネスが確実に保持され、外れ防止性が高まり、ハーネス外れによるワイヤハーネスの摺動摩耗や傷付き等が一層確実に防止される。
【００２３】
請求項４記載の発明によれば、一方の爪部でワイヤハーネスの一方が外れなく保持され、万一ワイヤハーネスの他方が傾斜リブを乗り越えた場合でも、傾斜リブの傾斜に沿ってワイヤハーネスが直ぐにハーネスガイド面に戻されるから、結局ワイヤハーネスの外れが防止され、請求項１記載の効果（ワイヤハーネスの摺動摩耗や傷付き等が防止され、給電の信頼性が向上すること）が確実に発揮されると共に、組付性が向上する。
【００２４】
請求項５記載の発明によれば、外れたワイヤハーネスが傾斜リブに沿って接線方向にハーネスガイド面に誘導されるから、請求項４記載の効果が一層確実に発揮される。
【発明を実施するための最良の形態】
【００２５】
図１は、本発明に係るハーネス余長吸収装置の一実施形態の内部構造を示す斜視図、図２は、同じくハーネス余長吸収装置の完全組立状態（ワイヤハーネス引き出し状態）を示す縦断面図である。
【００２６】
このハーネス余長吸収装置１は、合成樹脂製のプロテクタ（ケース）４と、プロテクタ４内に収容された左右一対の金属製の圧縮コイルバネ（付勢部材又は弾性部材）５と、各コイルばね５の内側に挿通された合成樹脂製のガイドピン６と、一対のコイルばね５の先端でばね伸長方向に付勢され、ガイドピン６に沿ってプロテクタ４内をスライド自在な合成樹脂製のハーネスガイド部材７とを備えるものである。
【００２７】
プロテクタ４はボックス本体２にカバー３を閉止して構成され、ボックス本体２は一側壁８（図２）の後端寄りにコネクタ保持壁９を有すると共に、後側の壁部１０の中央上部にハーネス導出口となる凹部１１を有し、前後左右の周壁にカバー係止用の係止枠部（係止手段）１２を有している。なお、前後左右上下の方向は説明の便宜上のものであり、必ずしもプロテクタ４の使用形態と一致するものではない。
【００２８】
コネクタ保持壁９にはコネクタ１３が係止手段で係止され、コネクタ１３内の端子はフラットワイヤハーネス１４の各導電回路に接続されている。フラットワイヤハーネス１４はボックス本体２の中央部に配索され、ボックス本体２の後端側で９０゜に折り曲げられつつ固定部材１５でボックス本体２に固定されてコネクタ１３に続いている。コネクタ１３は例えば車体の電源側のワイヤハーネス（図示せず）にコネクタ接続される。
【００２９】
ボックス本体２内の左右両側に一対のコイルばね５が配置され、コイルばね５はボックス本体内の最伸長状態で伸び方向の付勢力を少し有している。コイルばね５の内側にガイドピン６が挿通され、ガイドピン６の基端のフランジ部１６（図３）がボックス本体２の後側の壁部１０の内面に当接して係止手段（係止孔１７と係合突起）で係止され、ガイドピン６の先端の突起１８（図３）がボックス本体２の前側の壁部１９の孔部に係合固定されている。
【００３０】
図３にも示す如く、各ガイドピン６の先端部はハーネスガイド部材７の両側の環状部２０内で停止されている（図３では一方のガイドピン６のみ図示している）。すなわち、ガイドピン先端側の図示しない爪部が環状部２０内の停止突部２１に当接し（爪部が前側、停止突部２１が後側に位置する）、その状態でコイルばね５の先端（前端）が環状部２０の後端に弾性的に当接している。爪部はスライドリブ２２に一体に設けられ、スライドリブ２２は環状部２０内のガイド溝２３にスライド自在に係合し、ガイド溝２３の後端に停止突部２１が設けられている。
【００３１】
ハーネスガイド部材７はコイルばね５を圧縮しつつガイドピン６に沿ってハーネス引き出し方向にスライド移動自在で、且つコイルばね５の伸び方向の付勢力でガイドピン６に沿ってハーネス引き込み方向にスライド移動自在である。図１の如くハーネスガイド部材７はフラットワイヤハーネス１４の折り返し部１４ａの内側面に接して位置する。
【００３２】
図３の如くハーネスガイド部材７は、スライド移動用の左右一対の環状部２０と、一対の環状部２０を連結する中央のガイド部本体２４とで構成されている。ガイド部本体２４は縦断面半円状に形成され、前方を向く円弧状の湾曲面（ハーネスガイド面）２５を有している。ガイド部本体２４の湾曲面２５に沿って図１の如くフラットワイヤハーネス１４が滑らかな円弧形状で折り返される。
【００３３】
図４にも示す如く、ガイド部本体２４の左右両端には鍔部（鍔壁）２６が一体に設けられ、鍔部２６はガイド部本体２４の半径方向の一方において略矩形状ないし略三角形状に大きく突出して形成され、この突出部２６ａの先端角部にハーネス保持用の爪部２７が内向きに突出して設けられている。
【００３４】
鍔部２６は左右一対設けられ、爪部２７は各鍔部２６に一つずつ計一対設けられている。爪部２７の内面２７ａと湾曲面２５との間の隙間はフラットワイヤハーネス１４の厚みよりも十分に広く設定されている。爪部２７は平坦な板片状に形成され、ワイヤハーネス長手方向に対してほぼ４５゜の角度で傾斜して配置されている。一対の爪部２７によってフラットワイヤハーネス１４がガイド部本体２４から外れることなく保持され、常に湾曲面２５に沿って位置する。
【００３５】
鍔部２６はガイド部本体２４の半径方向の他方において湾曲面２５に沿って接線方向にテーパ状に切欠され、この傾斜リブ（傾斜状突出部）２８は湾曲面２５の基端２５ａと頂部２５ｂとの途中で湾曲面２５に接線方向に交差して続いている。傾斜リブ２８によってフラットワイヤハーネス１４の幅方向のはみ出し（移動）が防止され、且つ万一フラットワイヤハーネス１４が幅方向にはみ出しても（傾斜リブ２８を乗り越えても）、傾斜リブ２８の傾斜（傾斜端面）２８ａに沿って直ぐにフラットワイヤハーネス１４が内向きに戻される。
【００３６】
鍔部２６は湾曲面２５の頂部２５ｂにおいてはほぼフラットワイヤハーネス１４の厚さ程度の高さで低く突出し（符号２６ｂの部分）、これによりハーネスガイド部材７がスライド方向にコンパクト化（低背化）されている。ガイド部本体２４の径方向の一方にハーネス保持用の爪部２７が位置し、径方向他方に傾斜リブ２８が位置している。傾斜リブ２８は鍔部２６の一部であることは言うまでもない。
【００３７】
図５の如く、一対の爪部２７の内面側にフラットワイヤハーネス１４が入り込んで外れなく保持され、その状態（図２の状態）からフラットワイヤハーネス１４の上方に突出した部分１４ｂが折り返されて、図２のボックス本体２の後壁１０の凹部１１を通って外部に導出され、その状態で図１のカバー３が装着される。カバー３の凹部とボックス本体２の凹部１１とが合体してハーネス導出口（符号１１で代用する）が構成される。外部に導出されたフラットワイヤハーネス１４のコネクタ（図示せず）はドアやトランク（ラゲージドア）といった開閉体（図示せず）の電装品や補機に続くワイヤハーネスにコネクタ接続される。
【００３８】
図１の如く、フラットワイヤハーネス１４はコネクタ９側からボックス本体２の壁部（主壁）２９の内面に沿ってほぼ水平方向に配索され、ハーネスガイド部材７のガイド部本体２４の湾曲面２５に沿って湾曲しつつ折り返され、ガイド部本体２４は壁部２９からフラットワイヤハーネス１４の板厚以上の間隔で離間し、且つ壁部２９の内面に近接して爪部２７が位置し、フラットワイヤハーネス１４の折り返し側の部分１４ｂは湾曲面２５に沿って鍔部２６の傾斜リブ２８の基端側部分すなわち交差部２８ｂ（図４）よりも湾曲面２５の半径方向外側に位置して、水平にハーネス導出口１１に向けて延び、ハーネス導出口１１から外部に導出されている。
【００３９】
本例のフラットワイヤハーネス１４は、可撓性のフラットケーブル３０（図２）を合成樹脂製の網状の柔軟な保護チューブ３１で覆って屈曲自在に構成されている。フラットケーブル３０は絶縁シート内に複数本の回路導体を平行に配置したものである。なお、保護チューブを廃止して、フラットケーブル３０の外面を保護シートで覆ってフラットワイヤハーネスとすることも可能である。
【００４０】
上記ハーネス余長吸収装置１の使用形態としては、例えば図１とは上下反転して水平にプロテクタ４が車体側に固定され、フラットワイヤハーネス１４が長手方向中間でプロテクタ外側のガイド部材（図示せず）で上向きに屈曲されてトランク側のコネクタ（図示せず）に接続固定される。プロテクタ４のハーネス導出口１１においてフラットワイヤハーネス１４は水平に引き出される。
【００４１】
使用形態は上記に限らず、プロテクタ４を水平（横置き）に配置して、ワイヤハーネス１４を中間のガイド部材（図示せず）を用いずに水平に配索したり、プロテクタ４を垂直（縦置き）に配置して、ワイヤハーネス１４をドア等の開閉に伴って直線的に引き出すようにすることも可能である。
【００４２】
図１のフラットワイヤハーネス１４の引き出し状態からドアやトランクといった開閉体を閉じることで、コイルばね５の伸び方向の付勢力でハーネスガイド部材７がガイドピン６に沿って原位置に復帰しつつ、ワイヤハーネス１４がハーネスガイド部材７に追従してプロテクタ４内に引き込まれて、弛み（余長）が吸収される。
【００４３】
なお、本実施形態においては、コイルばね５を左右に一対用いたが、従来技術（図７）のように一本のコイルばね５を中央に配置して、ハーネスガイド部材７のガイド部本体２４を直接駆動することも可能である。また、弾性部材として、コイルばね５に代えて波形の板ばね等を用いることも可能である。
【００４４】
また、上記実施形態においては、ハーネスガイド部材７の一方に一対の爪部２７を対向して設け、他方に傾斜リブ２８を対向して設けたが、図６にハーネスガイド部材７’の他の形態を示す如く、傾斜リブ２８をなくして鍔部２６’を略矩形状に大きく形成し、鍔部２６’の両側に各一対計二対の爪部２７’を設けた場合でも、フラットワイヤハーネス１４の保持を行うことができる。
【００４５】
但し、この場合は、フラットワイヤハーネス１４を二対の爪部２７’内に挿入する際に、フラットワイヤハーネス１４を幅方向に手で圧縮しつつ各爪部内に押し込まねばならないので、上記実施形態に較べて組付作業に手間がかかり、また、万一爪部２７’からフラットワイヤハーネス１４が外れた場合に、外れたままの状態で引き出し・引き込みが行われかねないという懸念があり、その点でも上記図４の実施形態の構造は優れていると言える。
【００４６】
図６の形態の爪部２７’は平板状ではなく湾曲状（円弧状）に形成されている。前例（図４）の爪部２７の形状を平板状ではなく湾曲状等にすることも可能である。図６において符号２０’は環状部、２４’はガイド部本体、２５’は湾曲面をそれぞれ示し、何れの作用も図４の実施形態と同様である。
【００４７】
また、上記実施形態においては、ボックス本体２とカバー３とで成るプロテクタ４を用いたが、プロテクタ４として、ボックス本体２とカバー３とが一体化されたものを用い、例えばプロテクタの後部開口（図示せず）からコイルばね５やハーネスガイド部材７等の内部構成部品を装着し、後部開口を幅狭な板カバー（図示せず）で閉止するといった構造とすることも可能である。
【００４８】
また、プロテクタ４に配置するコネクタ１３の位置や方向は使用形態に応じて適時設定可能である。また、ワイヤハーネス１４として、フラットケーブル３０に代えて複数本の絶縁被覆電線（図示せず）を横一列に配置して使用することも可能である。また、ハーネスガイド部材７の湾曲面２５は半円状であることが好ましいが円弧状ないし円形等であることも可能である。
【図面の簡単な説明】
【００４９】
【図１】本発明に係るハーネス余長吸収装置の内部構造の一実施形態を示す斜視図である。
【図２】同じくハーネス余長吸収装置の組立状態を示す縦断面図である。
【図３】装置内部に配置されるコイルばねとガイドピンとハーネスガイド部材との組立体（組立構造）を示す斜視図である。
【図４】ハーネスガイド部材の一形態を示す斜視図である。
【図５】ハーネスガイド部材にワイヤハーネスを配索した状態を示す斜視図である。
【図６】ハーネスガイド部材の他の形態を示す斜視図である。
【図７】従来のハーネス余長吸収装置の一形態を示す分解斜視図である。
【符号の説明】
【００５０】
１            ハーネス余長吸収装置
４            プロテクタ
５            コイルばね（付勢部材）
７，７’      ハーネスガイド部材
１４          フラットワイヤハーネス（ワイヤハーネス）
１４ａ        折り返し部
２５，２５’  湾曲面（ハーネスガイド面）
２６，２６’  鍔部
２７，２７’  爪部
２８          傾斜リブ
【図１】
2005176502.tif 000003
【図２】
2005176502.tif 000004
【図３】
2005176502.tif 000005
【図４】
2005176502.tif 000006
【図５】
2005176502.tif 000007
【図６】
2005176502.tif 000008
【図７】
2005176502.tif 000009